(57)【要約】【課題】病室から手術室までの間および手術室内で患者の本人確認を行うことができるようにする。【解決手段】印字面の裏側に粘着面が形成された印字媒体を収容する収容部と、身体の一部に装着可能であって、患者に固有の患者データに対応する第１コード情報が印字されている装着部材、又は、患者データを記憶する記憶装置を有する装着部材から、患者データを読み取る読み取り部と、読み取り部によって読み取られた患者データに対応する第２コード情報を、収容される印字媒体の印字面に印字する印字部と、を備えたプリンタである。【選択図】図１
2020152060.tif 000002
【特許請求の範囲】
【請求項１】
印字面の裏側に粘着面が形成された印字媒体を収容する収容部と、
身体の一部に装着可能であって、患者に固有の患者データに対応する第１コード情報が印字されている装着部材、又は、前記患者データを記憶する記憶装置を有する装着部材から、前記患者データを読み取る読み取り部と、
前記読み取り部によって読み取られた前記患者データに対応する第２コード情報を、前記印字媒体の印字面に印字する印字部と、
を備えた、プリンタ。
【請求項２】
前記装着部材が切断されたか否かを示す操作入力を受け付けるための入力部を備え、
前記印字部は、前記操作入力に基づき前記装着部材が切断されたと判断された場合に、前記第２コード情報を印字する、
請求項１に記載されたプリンタ。
【請求項３】
前記読み取り部が前記患者データを読み取ってから、所定時間内に前記第２コード情報の印字が完了しない場合、、警告出力を行うように制御する第１出力制御部を備えた、
請求項２に記載されたプリンタ。
【請求項４】
前記操作入力に基づき前記装着部材が切断されたと判断されてから、所定時間内に、前記第２コード情報の印字が完了しない場合、警告出力を行うように制御する第２出力制御部を備えた、
請求項２に記載されたプリンタ。
【請求項５】
患者に対して手術を開始する予定日時である手術開始予定日時の情報を、当該患者の患者データと対応付けて記憶する第１記憶部と、
前記操作入力によって前記装着部材が切断されたと判断してから所定時間内に当該患者の手術開始予定日時が到来しない場合、警告出力を行うように制御する第３出力制御部と、を備えた、
請求項２から４のいずれか一項に記載されたプリンタ。
【請求項６】
同一の患者データに対応する前記第２コード情報の印字可能回数を１回に制限する印字制御部を備えた、
請求項１から５のいずれか一項に記載されたプリンタ。
【請求項７】
前記印字媒体に印字された前記第２コード情報から、前記患者データを読み取る第２読み取り部を備え、
前記印字部は、前記第２読み取り部によって読み取られた前記患者データに対応する第１コード情報を、未印字の装着部材に印字する、
請求項１から６のいずれか一項に記載されたプリンタ。
【請求項８】
患者に対する手術が終了する予定日時である手術終了予定日時の情報を、当該患者の患者データと対応付けて記憶する第２記憶部と、
患者データに対応する手術終了予定日時から所定時間内に前記第２読み取り部が前記患者データの読み取りを行わない場合には、警告出力を行うように制御する第４出力制御部と、を備えた、
請求項７に記載されたプリンタ。
【請求項９】
プリンタと、前記プリンタと通信可能なリーダ装置と、身体の一部に装着可能であって患者に固有の患者データが格納されるＩＣチップとアンテナを含む装着部材と、を含む情報処理システムであって、
前記プリンタは、
印字面の裏側に粘着面が形成された印字媒体を収容する収容部と、
前記印字媒体に印字する印字部と、
前記印字媒体に対する印字を制御する印字制御部と、を備え、
前記リーダ装置は、
前記アンテナと無線通信を行い、前記患者データを読み取る読み取り部と、
前記アンテナとの無線通信の品質が低下したか否か判定する判定部と、を備え、
前記プリンタの印字制御部は、前記アンテナから受信する信号の電波強度が閾値以下となった場合に、前記読み取り部によって読み取られた前記患者データに対応するコード情報を前記印字媒体の印字面に印字するように、前記印字部を制御する、
情報処理システム。
【請求項１０】
サーバと、前記サーバと通信可能なプリンタと、前記サーバと通信可能なリーダ装置と、身体の一部に装着可能であって患者に固有の患者データが格納されるＩＣチップとアンテナを含む装着部材と、を含む情報処理システムであって、
前記プリンタは、
印字面の裏側に粘着面が形成された印字媒体を収容する収容部と、
前記印字媒体に印字する印字部と、
前記印字媒体に対する印字を制御する印字制御部と、を備え、
前記リーダ装置は、
前記アンテナと無線通信を行い、前記患者データを読み取る読み取り部と、
前記アンテナとの無線通信の品質が低下したか否か判定する判定部と、
前記アンテナとの無線通信の品質が低下したと判定した場合に、前記サーバに通知する通知部と、を備え、
前記プリンタの印字制御部は、前記アンテナから受信する信号の電波強度が閾値以下となった場合に、前記読み取り部によって読み取られた前記患者データに対応するコード情報を前記印字媒体の印字面に印字するように、前記印字部を制御する、
情報処理システム。
【発明の詳細な説明】
【技術分野】
【０００１】
本発明は、プリンタおよび情報処理システムに関する。
【背景技術】
【０００２】
従来、病院内で患者の本人確認を容易に、かつ確実に行うために、患者の身体にリストバンドを装着することが行われている。例えば、リストバンドには本人確認用のデータが印字され、あるいは本人確認用のデータが書き込まれたインレイが組み込まれており、当該データを読み取ることで、看護婦等の医療従事者が患者の本人確認を行うことができる（例えば特許文献１）。
【先行技術文献】
【特許文献】
【０００３】
【特許文献１】特開２０１６−２２４５６９号公報
【発明の概要】
【発明が解決しようとする課題】
【０００４】
ところで、点滴針や輸血針等の手術用具を装着する場合に不都合があること等から、例えば、患者が手術を受ける際には、患者の病室でリストバンドを切断することが行われている。そのため、例えば、病室から手術室までの間および手術室内では、患者の本人確認を行うことができないという課題がある。
そこで、本発明は、例えば、病室から手術室までの間および手術室内で患者の本人確認を行うことができるようにすることを目的とする。
【課題を解決するための手段】
【０００５】
本発明のある態様は、印字面の裏側に粘着面が形成された印字媒体を収容する収容部と、身体の一部に装着可能であって、患者に固有の患者データに対応する第１コード情報が印字されている装着部材、又は、前記患者データを記憶する記憶装置を有する装着部材から、前記患者データを読み取る読み取り部と、前記読み取り部によって読み取られた前記患者データに対応する第２コード情報を、前記印字媒体の印字面に印字する印字部と、を備えたプリンタである。
【発明の効果】
【０００６】
本発明のある態様によれば、病室から手術室までの間および手術室内で患者の本人確認を行うことができる。
【図面の簡単な説明】
【０００７】
【図１】第１の実施形態のプリンタと、患者の腕に取り付けられた状態のリストバンドとを示す図である。
【図２】第１の実施形態に係るプリンタの概略断面図である。
【図３】第１の実施形態に係るプリンタに収容されるロール紙を説明する図である。
【図４】第１の実施形態のプリンタの内部の構成を示すブロック図である。
【図５】患者データベースの構成例を示す図である。
【図６】第１の実施形態の第１例に係るリストバンドの平面図である。
【図７】第１の実施形態の第２例に係るリストバンドの平面図である。
【図８】第１の実施形態のプリンタによって発行されるラベルと、そのラベルの使用方法とを説明する図である。
【図９Ａ】第１の実施形態のプリンタの表示例を示す図である。
【図９Ｂ】第１の実施形態のプリンタの表示例を示す図である。
【図９Ｃ】第１の実施形態のプリンタの表示例を示す図である。
【図１０】第２の実施形態の患者管理システムにおいて、プリンタとリーダ装置の配置例を示す図である。
【図１１】第２の実施形態の患者管理システムの構成を示すブロック図である。
【図１２】第２の実施形態の患者管理システムの動作を示すシーケンスチャートである。
【図１３】第３の実施形態の患者管理システムの構成を示すブロック図である。
【図１４】第３の実施形態の患者管理システムの動作を示すシーケンスチャートである。
【発明を実施するための形態】
【０００８】
本開示において患者の装着部材とは、患者の身体に装着可能であれば如何なる部材であってもよく、例えば、リストバンド、アンクルバンド、カードホルダ等が挙げられる。以下の実施形態の説明において、リストバンドは装着部材の一例である。
本開示において患者データは、患者に固有の固有データ若しくは固有データに関連付けられるデータであれば如何なるデータもよく、例えば、患者の氏名、患者のＩＤ、患者の保険証番号等が挙げられる。
本開示に係るプリンタは、患者データに対応する第１コード情報、又は、患者データを記憶する記憶装置から患者データを読み取り、当該患者データに対応する第２コード情報を印字媒体の印字面に印字する。ここで、第１コード情報、第２コード情報は、スキャナ等の読み取りデバイスで読み取り可能な情報であれば如何なる情報であってもよい。以下の実施形態では、第１コード情報が１次元コードであり、第２コード情報が２次元コードである場合を例として説明するが、その限りではない。第１コード情報が２次元コードであってもよいし、第２コード情報が１次元コードであってもよい。
第１コード情報と第２コード情報は、互いに異なるコード化方式としてなくてもよい。例えば、読み取り対象が２次元コードであって、印字対象が同一のコード化方式の２次元コードであってもよい。
患者データを記憶する記憶装置が装着部材に含まれる場合、記憶装置は、例えばＩＣチップの形態であってもよい。その場合、当該ＩＣチップを含むインレイが装着部材に組み込まれてもよいし、当該ＩＣチップを含む無線通信タグ（例えば、ＮＦＣ（Near Field Communication）等の短距離無線通信タグ）が装着部材に組み込まれてもよい。
【０００９】
（１）第１の実施形態
以下、図１〜図３を参照して、第１の実施形態のプリンタ１について説明する。
図１は、本実施形態のプリンタ１と、患者の腕に取り付けられた状態のリストバンド６０Ａとを示す図である。図２は、本実施形態に係るプリンタ１の概略断面図である。図３は、本実施形態に係るプリンタ１に収容されるロール紙を説明する図である。
【００１０】
本実施形態のプリンタ１は、病院内（例えばナースカート）に設置されるプリンタであり、患者の身体に貼付可能なラベルを発行するために設けられる。当該ラベルには、患者データに対応するコード情報が印字されている。患者データに対応するコード情報を含むラベルを患者の身体に貼付する利点は以下のとおりである。
すなわち、病院内では、患者の身体に患者データに対応するコード情報としてバーコード（第１コード情報の例）が印字されたリストバンド６０Ａが取り付けられているため、患者の本人確認が可能となっている。しかし、患者に対して手術を行うときに患者にリストバンド６０Ａが装着されたままでは手術に支障が生ずることから、手術前において患者の病室内でリストバンド６０Ａを切断し、患者からリストバンド６０Ａを取り外す。そのため、仮に何らの手段も講じないとしたならば、病室から手術室までの間、および、手術室内で本人確認を行うことができなくなってしまう。
そこで、本実施形態では、看護師等の医療従事者がプリンタ１を使用し、患者に装着されているリストバンド６０Ａを切断する直前、又は直後にリストバンド６０Ａのバーコードを読み取る。後述するように、本実施形態のプリンタ１はバーコードを読み取ると、当該バーコードに対応する患者データの２次元コード（第２コード情報の例）が印字された、貼付可能なラベルを発行する。そして、患者の病室内で当該ラベルを患者の身体に貼付することで、病室から手術室までの間、および、手術室内で患者の本人確認を行うことができるようになる。
【００１１】
（１−１）例示的なプリンタの構造
以下、図１〜図３を参照して、第１の実施形態の例示的なプリンタ１の構造について説明する。
図１および図２に示すように、本実施形態のプリンタ１は、筐体１０２と、カバー１０３と、表示パネル１４ａと、プラテンローラ１０５と、サーマルヘッド１０６と、収容部１０８と、補助ローラ１１３，１１７と、および、コードスキャナ１８を備える。なお、図２では、コードスキャナ１８の記載を省略してある。
【００１２】
図２に示すように、収容部１０８は、筐体１０２の内部に設けられてロール紙Ｒを収容する。カバー１０３は、収容部１０８を開放または閉鎖するカバーであり、シャフト１３１によって揺動可能に筐体１０２に支持されている。
図１に示すように、カバー１０３の表側には表示パネル１４ａが設けられている。表示パネル１４ａは、例えばタッチパネル機能を備えた液晶表示パネルであり、カバー１０３が閉鎖した状態においてユーザに対する入出力インタフェースを提供する。
【００１３】
図２に示すように、筐体１０２の搬送方向下流側には、プラテンローラ１０５が正逆方向に回動自在の状態で軸支されている。プラテンローラ１０５は、ロール紙Ｒから繰り出される連続紙ＣＰを搬送する搬送手段であり、連続紙ＣＰの幅方向に沿って延在した状態で形成されている。筐体１０２側には補助ローラ１１３が設けられ、カバー１０３側には補助ローラ１１７が設けられている。図６に示すように、カバー１０３が閉鎖状態のときには、補助ローラ１１３，１１７が連続紙ＣＰを挟んで対向し、連続紙ＣＰのプラテンローラ１０５への搬送を補助する。
【００１４】
図３に示すように、ロール紙Ｒは、帯状の連続紙ＣＰがロール状に巻回されたものである。図示の例では、連続紙ＣＰは、帯状の台紙ＰＭと、台紙上に予め決められた間隔毎に仮着された複数枚のラベルＰＬとを備えている。ラベルＰＬは、感熱紙を使用する場合と普通紙を使用する場合とがある。感熱紙の場合は、その表面（つまり、印字面）に、予め決められた温度領域に達すると特定の色（黒や赤等）に発色する感熱発色層が形成されている。ラベルＰＬの裏面は、粘着剤がコーティングされた粘着面である。台紙ＰＭにおいてラベルＰＬの粘着面が接触する面には、シリコーン等のような剥離剤がコーティングされており、ラベルＰＬを容易に剥離することが可能になっている。
本実施形態のプリンタ１では、プラテンローラ１０５の回転によってロール紙Ｒから連続紙ＣＰが繰り出される。
【００１５】
サーマルヘッド１０６は、カバー１０３が閉鎖状態のときにプラテンローラ１０５と対向するように、カバー１０３に配置されている。サーマルヘッド１０６は、ロール紙Ｒから繰り出される連続紙ＣＰのラベルＰＬ上に情報を印字する印字部の一例であり、複数の発熱素子がライン上に配置されている。サーマルヘッド１０６は、カバー１０３が閉鎖状態のときにはサーマルヘッド１０６の印字面が連続紙ＣＰの搬送路に向き、かつプラテンローラ１０５に対向する。
【００１６】
図２に示すように、カバー１０３が閉鎖状態において、プラテンローラ１０５が順方向に駆動されると、ロール紙Ｒから繰り出される連続紙ＣＰは、補助ローラ１１３，１１７に挟持されつつプラテンローラ１０５へ向かう。プラテンローラ１０５に対向するサーマルヘッド１０６によって印字された連続紙ＣＰは、カバー１０３と閉鎖状態のときの筐体１０２とカバー１０３の隙間である発行口１０７からプリンタ１の外部に排出される。
【００１７】
コードスキャナ１８は、ケーブルを介して筐体１０２に設けられた図示しないコネクタに接続されており、１次元コード情報および２次元コード情報（以下、総称して「コード情報」という。）を読み取る。コードスキャナ１８は、読み取り部、第２読み取り部の例である。
【００１８】
（１−２）プリンタの内部構成の例
次に、図４および図５を参照して、本実施形態のプリンタ１の内部の構成の例について説明する。図４は、本実施形態のプリンタ１の内部の構成を示すブロック図である。図５は、患者データベースの構成例を示す図である。
図４を参照すると、プリンタ１は、制御部１１、ストレージ１２、操作入力部１３、表示部１４、モータ駆動部１５、ヘッド駆動部１６、通信部１７、および、コードスキャナ１８を備える。
【００１９】
制御部１１は、マイクロコンピュータおよびメモリ（ＲＡＭ(Random Access Memory)，ＲＯＭ(Read Only Memory)）を含み、プリンタ１の動作を制御する。マイクロコンピュータは、プリンタ１の起動時にＲＯＭに記憶されているファームウェアを読み出して実行する。
【００２０】
ストレージ１２は、ＨＤＤ（Hard Disk Drive）あるいはＳＳＤ（Solid State Drive）等の記憶デバイスである。ストレージ１２には、ラベルＰＬのレイアウトおよびフォーマットのデータが記録されており、ラベルＰＬを印字するときにファームウェアにより読み出される。
制御部１１は、ファームウェアを実行することで、例えばコードスキャナ１８が読み取った患者データを２次元コードに変換する。２次元コードは、いくつかの規格に基づくコードが知られており、特に限定するものではないが、例えばＱＲコード（登録商標）を適用することができる。制御部１１は、２次元コードと、ストレージ１２に記録されたラベルＰＬのレイアウトおよびフォーマットのデータとに基づいて、印字すべきデータ（印字データ）を作成する。制御部１１はさらに、作成した印字データを含む印字指令をモータ駆動部１５およびヘッド駆動部１６に送出する。
【００２１】
ストレージ１２（第１記憶部、第２記憶部の例）は、図５に例示する患者データベースを格納する。患者データベースは、病院内において手術を受ける予定の１又は複数の患者に関するレコードを含む。図５に示す例では、患者データベースの各レコードは、患者ＩＤ、患者の氏名、患者の性別、リストバンド切断日時、手術開始予定日時、手術終了予定日時の各フィールドのデータを含む。なお、図５に示す管理データベースは一例に過ぎず、患者を識別するデータ（例えば、患者ＩＤ又は患者の氏名）のみを含む構成であってもよい。
【００２２】
なお、患者データベースに、患者データに対応する各レコードにおいてラベルＰＬが発行済みであるか否かを示すフラグを設けてもよい。当該フラグの初期値は、ラベルＰＬが発行済みではないことを示す値である。この場合、制御部１１は、患者データに対応するラベルＰＬに対応する印字データの印字が完了した場合に、当該患者データに対応するフラグを、発行済みを示す値に書き換える。このように患者データベースを構成することで、２次元コードＣ２の印字が完了したか否か（つまり、ラベルＰＬが発行されたか否か）を判断することができる。
【００２３】
コードスキャナ１８は、ＬＥＤ等の光源、光学機構、イメージセンサ、および、デジタル処理回路等を含む。コードスキャナ１８は、光源からの出射光を外部のコード情報に照射し、当該コード情報によって反射された反射光を、光学機構を介してイメージセンサに結像する。コードスキャナ１８のデジタル処理回路は、イメージセンサによって光電変換された信号をデジタル化して解析することで、コード情報に含まれる患者データを抽出する（読み取る）。
コードスキャナ１８は、後述するインレイＩＮＬとＲＦＩＤ通信が可能な構成としてもよい。
【００２４】
モータ駆動部１５は、プラテンローラ１０５の回転を制御するステッピングモータ（図示せず）を駆動することによって、プリンタ１内に収容されるロール紙Ｒから連続紙ＣＰを引き出して搬送させる。
モータ駆動部１５は、制御部１１からの印字指令に応じて、当該印字指令によって指定される搬送方向（順方向あるいは逆方向）および搬送量で連続紙ＣＰを搬送させる。指定された搬送方向および搬送量は、例えばステッピングモータの回転方向およびステップ数に対応している。モータ駆動部１５は、当該回転方向およびステップ数に基づいてステッピングモータを駆動する。
【００２５】
ヘッド駆動部１６は、制御部１１から印字データを含む印字指令を受けた場合、サーマルヘッド１０６の各発熱素子に電流を選択的に流す。電流により発熱した発熱素子がプラテンローラ１０５によって搬送されたラベルＰＬに押し当てられると、発熱素子に押し当てられたラベルＰＬの部分が発色することでラベルＰＬに印字が行われる。
【００２６】
操作入力部１３は、例えば各種操作ボタンを含む入力装置あるいは表示パネル１４ａに設けられたタッチパネル入力機構と、ボタン操作あるいはタッチパネル操作による操作入力を受け付ける入力インタフェース回路とを含む。
表示部１４は、表示パネル１４ａ（図１参照）と、表示パネル１４ａに画像を表示する駆動回路とを含み、ファームウェアの実行結果を表示する。
通信部１７は、外部装置と通信を行うための通信インタフェース回路を含む。
【００２７】
（１−３）リストバンド
次に、本実施形態のプリンタ１の読み取り対象となるリストバンドの例について、図６および図７を参照して説明する。図６は、本実施形態の第１例に係るリストバンド６０Ａの平面図である。リストバンド６０Ａは、図１に示したものと同じリストバンドである。図７は、本実施形態の第２例に係るリストバンド６０Ｂの平面図であり、一部を剥離した状態で示している。
【００２８】
図６に示すように、リストバンド６０Ａには、患者データとしての患者ＩＤおよび患者氏名を含む文字情報６１と、文字情報６１に対応するバーコードＣ１（第１コード情報の一例）とが印字されている。リストバンド６０Ａには、複数の突起６２が設けられており、いずれか２つの突起６２を孔６３に挿入（セット）することで、患者の手首に装着するように構成されている。リストバンド６０ＡのバーコードＣ１を読み取るには、図１に示したように、プリンタ１のコードスキャナ１８からの出射光をバーコードＣ１に照射する。
【００２９】
図７のリストバンド６０Ｂにおいて、図６のリストバンド６０Ａと同じ部位については同一の符号を付している。リストバンド６０Ｂは、突起６２および孔６３が形成された取付部６６と、文字情報６１やバーコードＣ１が印字される印字部６５とからなり、印字部６５が取付部６６よりも拡幅した構成となっている。リストバンド６０Ｂがリストバンド６０Ａと異なるのは、バンド本体にインレイＩＮＬが内蔵されている点である。
インレイＩＮＬは、印字部６５に内蔵され、患者データを格納するＩＣチップ（記憶装置の一例）と、当該ＩＣチップに接続されたアンテナとを含み、パッシブ方式により外部のリーダ装置とＲＦＩＤ通信を行う。パッシブ方式のＲＦＩＤ通信では、ＩＣチップに給電するバッテリをリストバンド６０Ｂ内に設ける必要はなく、リーダ装置からの電磁波をエネルギー源として動作する。図７に示す例では、アンテナがリストバンド６０Ｂの印字部６５の全体に亘って形成され、ループコイルを形成している。
リストバンド６０ＢのインレイＩＮＬに格納される患者データを読み取るには、プリンタ１にリーダ装置（後で参照する図１１には図示せず）を設けるようにする。この場合、プリンタ１に接続されるリーダ装置は、リストバンド６０ＢのインレイＩＮＬとＲＦＩＤ通信を行って、インレイＩＮＬに記録されている患者データを読み取る。
なお、図７に例示するリストバンド６０Ｂは、印字部６５に患者データが印字される例が示されるが、その限りではない。プリンタ１は患者データをインレイＩＮＬから取得可能であるため、患者データをリストバンド６０Ｂに印字することは必須ではない。
【００３０】
（１−４）実施形態のプリンタによって発行されるラベルの使用例
次に、図８を参照して、本実施形態のプリンタ１によって発行されるラベルＰＬの使用例ついて説明する。図８は、本実施形態のプリンタ１によって発行されるラベルＰＬと、ラベルＰＬの使用方法とを説明する図である。
【００３１】
図１に示したように、看護師は、プリンタ１のコードスキャナ１８を患者の手首に装着されたリストバンド６０Ａに向け、コードスキャナ１８がリストバンド６０Ａに印字されたバーコードＣ１（図６参照）から患者データを読み取る。プリンタ１の制御部１１は、コードスキャナ１８によって読み取られた患者データを基に印字データを作成し、印字データを含む印字指令をモータ駆動部１５およびヘッド駆動部１６に送出する。当該指令に応じて、モータ駆動部１５およびヘッド駆動部１６が動作することにより、連続紙ＣＰの搬送とラベルＰＬに対する印字が行われ、印字されたラベルＰＬがプリンタ１の発行口１０７から排出される。
排出されたラベルＰＬの一例が図８に示される。図８に示すように、発行されるラベルＰＬには、２次元コードＣ２（第２コード情報の一例）が印字されている。２次元コードＣ２の種類を特に限定するものではないが、２次元コードＣ２として例えばＱＲコード（登録商標）が挙げられる。
【００３２】
なお、患者の手首に装着されたリストバンドがリストバンド６０Ａではなくリストバンド６０Ｂ（図７参照）の場合も同様である。すなわち、プリンタ１に接続されたリーダ装置（図示せず）がリストバンド６０Ｂに組み込まれたインレイＩＮＬと無線通信を行い、患者データを読み取る。制御部１１は同様に、読み取った患者データを基に印字データを作成する。
【００３３】
プリンタ１によるラベルＰＬの発行は、例えば、スキャンしたリストバンド６０Ａ又はリストバンド６０Ｂ（以下、総称して「リストバンド６０」）を装着する患者が手術室に向かう前に、当該患者の病室で行われる。ラベルＰＬが発行されると、看護師がリストバンド６０を切断して患者から取りはずし、代わりに、発行されたラベルＰＬを台紙ＰＭから剥がして患者の身体に貼着する。なお、リストバンド６０を患者から取り外した後に、リストバンド６０に印字されたバーコードＣ１をスキャンしてラベルＰＬを発行してもよい。
【００３４】
ラベルＰＬの貼着部位は限定しないが、患者の年令に関わらず安定的に貼着状態が維持される観点から、患者の爪（図８の例では、患者の足の親指の爪）に貼着することが好ましい。これによって、皮膚の弱い患者であってもラベルＰＬを身体に貼着することに支障がない。
ラベルＰＬを患者の身体に装着後、当該患者は手術を受けるために病室から手術室に向かい、手術室で手術を受ける間、ラベルＰＬが貼着されたままの状態となる。例えば、図８に示すように、患者の爪に貼着する場合には、リストバンド６０と異なり、手術に何らの支障がないため、手術室内で本人確認を可能としつつ患者に対する手術を支障無く行うことができる。
【００３５】
以上説明したように、本実施形態のプリンタ１は、患者の身体に装着されたリストバンド６０Ａに印字されたバーコード（第１コード情報の例）から患者データを読み取り、読み取った患者データに対応するＱＲコード（登録商標）等の２次元コードを含むラベルを発行する。あるいは、本実施形態のプリンタ１は、患者の身体に装着されたリストバンド６０Ｂに組み込まれたインレイから患者データを読み取り、読み取った患者データに対応する２次元コードを含むラベルを発行する。発行されるラベルの裏面は粘着面となっており、患者の身体の任意の場所に貼着することが可能である。そのため、手術の準備あるいは手術中に支障となりうるリストバンド６０の代わりに、プリンタ１によって発行されたラベルＰＬを患者の身体に貼着することで、病室から手術室までの間、手術室内で本人確認が可能としつつ、患者に対する手術を支障無く行うことができる。
【００３６】
（１−５）好ましい変形例
以下、上述した実施形態の好ましい変形例について説明する。なお、以下の説明においても、リストバンド６０Ａ，６０Ｂを総称して「リストバンド６０」と表記する。
【００３７】
（第１の変形例）
第１の変形例について、図９Ａ〜図９Ｃを参照して説明する。図９Ａ〜図９Ｃはそれぞれ、本変形例においてプリンタ１の表示例を示す図である。
【００３８】
上述した実施形態のプリンタ１では、コードスキャナ１８によって患者のリストバンド６０を読み取った後にラベルＰＬを発行するが、看護師の不注意により、ラベルＰＬを発行したものの患者のリストバンド６０を取り外し忘れることがあり得る。その場合、患者がリストバンド６０を装着したまま手術室に入る状況が生じ得る。そこで、このような不注意が発生する可能性を低減させるため、ラベルＰＬを発行する際にリストバンド６０を切断したことを看護師自らが確認する手順を加えることが好ましい。
【００３９】
かかる観点から、本変形例では、コードスキャナ１８によって患者のリストバンド６０を読み取ったことのみではラベルＰＬを発行せず、プリンタ１の表示パネル１４ａ上で適切な操作を行った場合にラベルＰＬが発行されるように構成されている。
具体的な手順の例について、図９Ａ〜図９Ｃを参照して以下説明する。
先ず、コードスキャナ１８によって患者のリストバンド６０が読み取られた場合、プリンタ１の表示パネル１４ａに図９Ａに例示する画面Ｇ１を表示させ、ラベルＰＬの発行前にコードスキャナ１８によって患者のリストバンド６０を読み取った目的（モード選択）を看護師に確認することを促す。画面Ｇ１には、ボタンｂ１（「３点照合」）とボタンｂ２（「リストバンド切断」）が表示され、ボタンｂ２を操作した場合に限り、コードスキャナ１８によって読み取った患者データに対応するラベルＰＬが発行される。
図９Ａの画面Ｇ１に示すように、患者のリストバンド６０を読み取る目的は複数想定されるため、最初に複数の目的の各々に対応する複数の選択肢を提示し、その中から目的に応じた選択肢を選択可能となるように表示することが好ましい。
画面Ｇ１においてボタンｂ２（「リストバンド切断」）が操作されると、図９Ｂに示す画面Ｇ２に遷移する。画面Ｇ２は、ラベルＰＬの発行前にリストバンド６０を切断したことを看護師に確認することを促すように構成される。画面Ｇ２には、ボタンｂ２１（「はい」）とボタンｂ２２（「いいえ」）が表示され、ボタンｂ２１を操作した場合に限り、コードスキャナ１８によって読み取った患者データに対応するラベルＰＬが発行される。
この場合、プリンタ１の制御部１１は、操作入力部１３によって入力された入力結果に基づきリストバンド６０が切断されたと判断した場合に、患者データに対応する２次元コードＣ２を含むラベルＰＬを発行する。また、制御部１１は、ボタンｂ２１（「はい」）が入力された日時をリストバンド切断日時として患者データベースに書き込んでもよい。
【００４０】
他方、図９Ａの画面Ｇ１においてボタンｂ１（「３点照合」）が選択された場合には、３点照合処理に進む。詳細は図示しないが、３点照合とは、医師からのオーダーに対する処置について、看護師、医師等の、現場で患者に薬剤を投与する者（以下、「薬剤投与者」という。）、薬剤、および、患者のデータを読み取り、読み取ったデータをデータベースに登録する、あるいは読み取ったデータをデータベースにあるデータと照合する処理である。３点を照合することが、投薬ミスや患者取り違いミス等による医療事故を防止する上で有効であると考えられている。
なお、３点照合の場合には、看護師、薬剤、薬剤投与者に対応する３個のデータをスキャンするため、例えば、先に薬剤のデータを読み取った場合には、自動的に３点照合が行われると判断して図９Ａの画面Ｇ１の表示は省略し、３点照合のための別の画面に遷移するようにしてもよい。
【００４１】
画面Ｇ２においてボタンｂ２１（「はい」）が入力された場合、図９Ｃに示す画面Ｇ３に遷移してもよい。画面Ｇ３では、発行されたラベルＰＬを貼付すべき患者の身体の位置を指示するメッセージが表示される。
この身体の位置の指定は、例えば左右で同じ臓器（肺、腎臓等）や左右で同じ部位（手足や目、耳等）の手術を行う場合には、手術の対象となる臓器等の左右に合わせた側（左側又は右側）の身体の位置を指定することにより行うことが好ましい。例えば、左側の腎臓を手術する場合には、患者の左側の足の爪にラベルＰＬを貼付するように指示するメッセージが表示される。手術室の申し送り時には、患者確認・手術部位の確認が主治医・麻酔医・看護師の間で行われるが、手術対象の臓器、部位の位置に合わせた側にラベルＰＬを貼付することで、誤った臓器等に手術を行うことをさらに確実に防止する効果が見込まれる。
左又は右の貼付位置の指定は、例えば患者データベースを参照することによって行うようにすることができる。この場合、患者データベースには、患者の手術部位に関する情報として、左側又は右側のいずれかの情報が含まれるようにする。そして、プリンタ１の制御部１１は、画面Ｇ３を表示するに当たって、患者データベースに含まれる患者の手術部位に関する情報を参照して、画面Ｇ３の表示内容を決定する。
【００４２】
本変形例では、プリンタ１の制御部１１（第１出力制御部の一例）は、コードスキャナ１８が患者データを読み取ってから所定時間内にラベルＰＬに対して２次元コードＣ２の印字が完了しない場合、警告出力を行うように制御してもよい。すなわち、コードスキャナ１８が患者データを読み取ったにも関わらず、ラベルＰＬが発行されない場合には、警告出力を行って看護師に入力操作を促すことが好ましい。それによって、看護師がコードスキャナ１８を使って患者のリストバンド６０を読み取ったにも関わらずラベルＰＬを発行し忘れることを防止することができるとともに、リストバンド６０を切断することを喚起することができる。
警告出力方法は限定しないが、例えば、画面Ｇ２に強調表示（例えば、「早く発行作業してください」等のテキストの表示）を付加することや、図４に図示しない音声出力部から音声出力を行うことが挙げられる。
【００４３】
看護師が画面Ｇ２でボタンｂ２１（「はい」）を操作したにも関わらず、プリンタ１の用紙詰まり（ジャム）のエラー発生等によってラベルＰＬの発行が完了しない場合、ラベルＰＬを患者に貼付されない状態は生じうる。このような状況が生じた場合、エラー解消後に看護師が再度のラベル発行を忘れてしまう場合がある。
【００４４】
そこで本変形例では、プリンタ１の制御部１１（第２出力制御部の一例）は、リストバンド６０が切断されたと判断されてから、所定時間内に患者データに対応するラベルＰＬに対して２次元コードＣ２の印字が完了しない場合、警告出力を行うように制御してもよい。すなわち、操作入力１３によって入力された入力結果に基づきリストバンド６０が切断されたと判断されたにも関わらず、２次元コードＣ２を含むラベルＰＬが発行されない場合には、警告出力を行って看護師に発行作業を促すことが好ましい。それによって、看護師が発行作業を忘れることを防止することができるとともに、２次元コードＣ２を含むラベルＰＬの確実に発行することができる。
警告出力方法は限定しないが、例えば、画面Ｇ１に強調表示（例えば、「早く発行作業してください」等のテキストの表示）を付加することや、図４に図示しない音声出力部から音声出力を行うことが挙げられる。
【００４５】
（第２の変形例）
本変形例では、プリンタ１の制御部１１（第３出力制御部の一例）は、画面Ｇ２のボタンｂ２１（「はい」）の操作入力によって患者のリストバンド６０が切断されたと判断してから所定時間内に当該患者の手術開始予定日時が到来しない場合、警告出力を行うように制御することが好ましい。すなわち、患者のリストバンド６０が切断されたと判断してから所定時間内に当該患者の手術開始予定日時が到来しない場合には、手術予定の患者の誤り（取り違え）の可能性があるため、警告出力を行うことが好ましい。
警告出力の是非を判定するため、制御部１１は、コードスキャナ１８によって読み取られた患者データに含まれる患者ＩＤ又は患者氏名と、患者データベースに含まれる対応するレコードとを照合し、患者の手術終了予定日時を特定する。そして、特定した手術終了予定日時が現在から所定時間以内に到来するか否かに基づいて警告出力の是非が判断される。
【００４６】
（第３の変形例）
病院内での患者の本人確認を確実にするためには、同じ患者に対して、当該患者の患者データに対応する２次元コードが印字されたラベルＰＬを２以上発行しないようにすることが好ましい。
その観点から、プリンタ１の制御部１１（印字制御部の一例）は、同一の患者データに対応する２次元コードＣ２の印字可能回数を１回に制限してもよい。その場合、患者データベースに、患者データに対応する各レコードにおいてラベルＰＬが発行済みであるか否かを示すフラグを設ける。当該フラグの初期値は、ラベルＰＬが発行済みではないことを示す値である。制御部１１は、ラベルの印字指令を行う前に当該フラグの値をチェックし、当該フラグが、ラベルＰＬが発行済みでないことを示す値である場合に限り、印字指令を送出する。そして、制御部１１は、患者データに対応するラベルＰＬに対応する印字データの印字が完了した場合に、当該患者データに対応するフラグを、発行済みを示す値に書き換える。
【００４７】
（第４の変形例）
本変形例では、患者に対する手術が終了した後に、病院内で患者に装着するリストバンド６０を再度発行する場合を想定する。
リストバンド６０を再度発行するには先ず、プリンタ１の収容室に、図３のロール紙Ｒに代えて、例えば未印字の複数のリストバンドを含む連続紙を巻回したロール紙（図示せず）を挿入する。次いで、プリンタ１のコードスキャナ１８を、患者に貼着されているラベルＰＬの２次元コードＣ２（図８参照）に向ける。それによって、コードスキャナ１８が２次元コードＣ２から患者データを読み取る。プリンタ１の制御部１１は、コードスキャナ１８によって読み取られた患者データを基に印字データを作成し、印字データを含む印字指令をモータ駆動部１５およびヘッド駆動部１６に送出する。当該指令に応じて、モータ駆動部１５およびヘッド駆動部１６が動作することにより、連続紙の搬送とリストバンドに対する印字が行われ、印字されたリストバンドがプリンタ１の発行口１０７から排出される。排出されるリストバンドは、例えば図１に示したリストバンド６０Ａと同様のものである。すなわち、プリンタ１は、リストバンド６０Ａ上に、ラベルＰＬから読み取った患者データに対応するバーコードＣ１を印字する。
リストバンドを再発行することで、患者の手術後においても、患者に対して、手術前と同様の本人確認方法を適用することができる。
【００４８】
なお、病院内での患者の本人確認を確実にするためには、同じ患者に対して、当該患者の患者データに対応する２次元コードが印字されたリストバンドの再発行は１回のみに限定することが好ましい。この場合も、前述した、ラベルＰＬが発行済みであるか否かを示すフラグと同様に、リストバンドが再発行済みであるか否かを示すフラグを患者データベースの各レコードで管理するように構成すればよい。
【００４９】
プリンタ１の制御部１１（第４出力制御部の例）は、患者データに対応する手術終了予定日時から所定時間内にコードスキャナ１８が２次元コードＣ２に対応する患者データの読み取りを行わない場合には、警告出力を行うように制御してもよい。すなわち、患者の手術終了予定日時から所定時間内にコードスキャナ１８が読み取りを行わない場合には、手術が終了したにも関わらずリストバンドの再発行を忘れている可能性があるため、警告出力を行うことが好ましい。それによって、患者の手術後において病院内で当該患者の本人確認ができないという状況を回避することが可能となる。
【００５０】
警告出力の是非を判定するため、患者データベースに、患者データに対応する各レコードにおいてリストバンドが再発行済みであるか否かを示すフラグを設ける。当該フラグの初期値は、リストバンドが再発行済みではないことを示す値である。リストバンドに対する印字指令を行った場合、制御部１１は、当該フラグを、リストバンドが再発行済みであることを示す値に書き換える。
制御部１１は、逐次（例えば３分おきに）、患者データベースのレコードのうちリストバンドが再発行済みではないことを示すフラグのレコードの中から、現在時刻を基準として、手術終了予定日時から所定時間経過した時刻を過ぎているレコードを検索する。そのようなレコードが検出された場合、制御部１１は、当該レコードに対応する患者データと関連付けて警告出力を行う。
警告出力方法は限定しないが、例えば、表示パネル１４ａに警告対象となる患者データとともに「早く○○さんのリストバンドを再発行してください」等のテキストを表示することや、図４に図示しない音声出力部から音声出力を行うことが挙げられる。
【００５１】
また、患者データベースにはリストバンド切断日時が記録されているため、リストバンド切断日時から所定時間経過後に、リストバンドの再発行を促す報知出力を行うように構成してもよい。
【００５２】
（２）第２の実施形態
次に、第２の実施形態の患者管理システム７（情報処理システムの一例）について説明する。本実施形態の患者管理システム７は、プリンタ１に加え、リーダ装置３を含む。
第１の実施形態では、例えば看護師がプリンタ１のコードスキャナ１８を用いてバーコードＣ１をスキャンすることによって患者データをプリンタ１に取り込む例を示したが、本実施形態では、患者データを格納するインレイが組み込まれたリストバンド６０Ｂを患者に装着し、リーダ装置３が患者データをインレイから読み取る。そのため、看護師がバーコードをスキャンする操作は必要ない。
また、リーダ装置３は、リストバンド６０Ｂが切断されたことをリーダ装置３が検出するように構成される。すなわち、看護師は、プリンタ１の画面にリストバンドを切断したことを示す操作入力を行う必要がない。そのため、当該操作入力の手間が削減されるだけでなく、実際にはリストバンドを切断していないのにも関わらずラベルＰＬを発行するという事態も避けられる。
【００５３】
以下、図１０〜図１２を参照して、第２の実施形態の患者管理システム７について説明する。
図１０は、本実施形態の患者管理システム７において、プリンタ１とリーダ装置３の配置例を示す図である。図１１は、本実施形態の患者管理システム７の構成を示すブロック図である。図１２は、本実施形態の患者管理システム７の動作を示すシーケンスチャートである。
【００５４】
図１０に示すように、本実施形態の患者管理システム７は、プリンタ１およびリーダ装置３を含む。システムの運用例では、プリンタ１およびリーダ装置３は共に、ナースカート等のカートＣＴに配置される。本実施形態のプリンタ１は、コードスキャナ１８が必要ない点を除けば第１の実施形態のプリンタ１と同じであり、詳細な説明を省略する。
本実施形態の患者管理システム７では、病院内の各患者が本人確認のために図７に示したリストバンド６０Ｂ（インレイＩＮＬが組み込まれたもの）を装着しているものとする。リーダ装置３は、患者がカートＣＴに近接した位置にいるときに当該患者が装着しているリストバンド６０ＢのインレイＩＮＬとＲＦＩＤ通信を行い、インレイＩＮＬに格納されている患者データを読み取る。
【００５５】
第１の実施形態では、プリンタ１の表示画面（図９参照）上でリストバンドの切断有無の入力を行うように構成しているが、本実施形態の患者管理システム７では、リーダ装置３がリストバンド６０Ｂの切断有無を判定するように構成している点で異なる。図７に示したように、リストバンド６０Ｂには、インレイＩＮＬのアンテナがリストバンド６０Ｂの印字部６５の全体に亘って形成され、ループコイルを形成している。そのため、リストバンド６０Ｂの印字部６５を切断した場合、アンテナ（ループコイル）が断線されることにより、リーダ装置３からの電磁波を受信することができなくなる。そのため、リーダ装置３とリストバンド６０ＢのインレイＩＮＬとの間の無線通信品質が大きく低下する。
そこで、リーダ装置３が、インレイＩＮＬとの無線通信の確立後にリストバンド６０Ｂからの受信信号の信号強度（ＲＳＳＩ：Received Signal Strength Indicator）を常に測定する。ＲＳＳＩが閾値以下に低下した場合には、リストバンド６０Ｂが切断されたと判断することができる。
なお、患者の退院時には、リストバンド６０Ｂの取付部６６を切断する運用とすれば、手術前のリストバンド６０Ｂの切断と誤検出することはない。
【００５６】
図１１において、プリンタ１の内部構成は、コードスキャナ１８がないことを除けば図４に示したものと同じであるため、重複説明を行わない。
図１１に示すように、リーダ装置３は、制御部３１、読み書き部３２、および、通信部３３を備える。
読み書き部３２は、通信可能範囲内に位置するインレイＩＮＬとの間でＲＦＩＤ通信を行い、インレイＩＮＬに格納されるデータを読み取り、あるいはインレイＩＮＬにデータを書き込む。
制御部３１は、マイクロコンピュータおよびメモリ（ＲＡＭ，ＲＯＭ）を含み、リーダ装置３の動作を制御する。例えば、制御部３１は、読み書き部３２がインレイＩＮＬとのＲＦＩＤ通信を行っている間、インレイＩＮＬからの受信信号のＲＳＳＩを監視し、当該ＲＳＳＩに基づいてリストバンド６０Ｂが切断されたか否かを判断する。つまり、ＲＳＳＩが閾値以上であるか否かに基づいてリストバンド６０Ｂの切断有無が判断される。制御部３１は、インレイＩＮＬの無線通信の品質が低下したか否かを判定する判定部として機能する。
通信部３３は、プリンタ１との通信を行うように構成されている通信インタフェースである。プリンタ１との通信は無線でもよいし有線でもよい。また、プリンタ１との間の通信プロトコルは問わない。制御部３１によってリストバンド６０Ｂが切断されたと判断された場合には、通信部３３によってプリンタ１に対して通知される。
【００５７】
次に、図１２を参照して、本実施形態の患者管理システム７の動作を説明する。
手術予定の患者が手術室に移動する前の病室で、手術室までの移動中および手術室内での本人確認のためにラベルＰＬを発行する場合を想定する。この場合、看護師がカートＣＴを引いて患者の病室に行く。
患者の病室内では、カートＣＴに配置されているリーダ装置３が患者に装着されているリストバンド６０ＢのインレイＩＮＬとの間でＲＦＩＤ通信を確立する（ステップＳ１０）。
その後、看護師が患者に装着しているリストバンド６０Ｂの印字部６５を切断すると、リーダ装置３は、リストバンド６０ＢのインレイＩＮＬからの受信信号のＲＳＳＩの低下に応じて、リストバンド６０Ｂの切断を検出し（ステップＳ１４）、切断したことを通知するための切断通知をプリンタ１に送信する（ステップＳ１６）。なお、リーダ装置３からの切断通知には、切断されたリストバンド６０Ｂに対応する患者データが含まれる。
【００５８】
リーダ装置３から切断通知を受信したプリンタ１は、その受信日時がリストバンド切断日時として記録されるように患者データベースを更新し（ステップＳ２２）、切断通知に含まれる患者データに対応する２次元コードを含むラベルＰＬ（図８参照）を発行する（ステップＳ２４）。このとき、好ましくは、切断通知に含まれる患者データが適切な患者に対応するデータである場合に限り（ステップＳ１８：ＹＥＳ）、ステップＳ２２，Ｓ２４を実行してもよい。
ステップＳ１８において適切な患者とみなされない場合とは、例えば、以下の場合である。
(i) 切断通知を受信した日時から所定時間内に、対応する患者の手術開始予定日時が到来しない場合
(ii) 患者データベースにおいて既に「リストバンド切断日時」のフィールドに既にデータが書き込まれている場合
(i)の場合には手術予定の患者の誤り（取り違え）の可能性があり、(ii)の場合には同一の患者に対してラベルを重複発行する可能性があるためである。
ステップＳ１８において適切な患者とみなされない場合には（ステップＳ１８：ＮＯ）、プリンタ１は警告出力を行う（ステップＳ２０）。
【００５９】
本実施形態の患者管理システム７においても第１の実施形態と同様、プリンタ１によって発行されたラベルＰＬを患者の身体に貼着することで、病室から手術室までの間、および、手術室内で本人確認が可能としつつ患者に対する手術を支障無く行うことができる。しかも、第１の実施形態と比較して、看護師による操作労力の低減、および、ラベルの発行の自動化が可能となるという利点がある。
また、本実施形態の患者管理システム７では、リストバンド６０Ｂが切断されて初めてプリンタ１からラベルＰＬが発行されるため、同じ患者に対して重複してラベルが発行されることを防止できる。
【００６０】
本実施形態では、リストバンド６０Ｂに組み込まれているインレイＩＮＬに患者データが格納されている場合について説明したが、その限りではない。発行対象のラベルに印字すべき２次元コードに対応する患者データを特定できる限り、リーダ装置３から取得する情報は患者データ自体でなくてもよい。
例えば、患者データベースにおいて、患者データに対応する各レコードにＵＩＤ（Unique ID）が含まれており、リストバンドに組み込まれているインレイＩＮＬにはＵＩＤのみが記録されている場合が想定される。この場合、リーダ装置３からプリンタ１に送信される切断通知には、切断を検出したリストバンドのインレイＩＮＬのＵＩＤが含まれる。切断通知を受信したプリンタ１は、当該切断通知に含まれるＵＩＤをキーとして患者データベースを検索して患者データを特定し、特定した患者データに対応する２次元コードを印字したラベルを発行する。
【００６１】
本実施形態のリーダ装置３として、カートＣＴに据え置き型の装置ではなく、携帯型リーダ装置を適用することができる。例えば、看護師の手首等に装着するリーダ装置を適用してもよい。あるいは、スマートフォン等の携帯端末にジャケット形式若しくはドック形式で取付可能なリーダ装置であって、携帯端末のコネクタと接続して読み取り結果を携帯端末の画面に表示するように構成されたリーダ装置を適用してもよい。
このような携帯型リーダ装置を使用することで、プリンタ１とリーダ装置３をカートＣＴに載せて病室間を移動する場合と比較して、看護師の労力が低減されるとともにカートＣＴの運搬による騒音を無くすことが可能となる。例えば、看護師が携帯型リーダ装置のみを持って病室にいる患者の元に行き、患者データを読み取り、カートＣＴのある場所に戻ってプリンタ１によりラベルを発行する、という運用を行うことができる。
【００６２】
本実施形態の患者管理システム７は、１つのプリンタによって実現することもできる。すなわち、リーダ装置をプリンタ内に内蔵するように構成しても、プリンタ単独で本実施形態の患者管理システム７と同一の動作を行うことができる。
【００６３】
（３）第３の実施形態
本実施形態の患者管理システム８（情報処理システムの一例）では、第２の実施形態と患者管理システム７と類似しているが、ネットワーク上のサーバが患者データベースを一元管理する点が第２の実施形態と異なる。
以下、図１３および図１４を参照して、第２の実施形態の患者管理システム８について説明する。
図１３は、本実施形態の患者管理システム８の構成を示すブロック図である。図１４は、本実施形態の患者管理システム８の動作を示すシーケンスチャートである。
【００６４】
図１３に示すように、本実施形態の患者管理システム８は、プリンタ１、リーダ装置３、および、サーバ５を含む。プリンタ１とサーバ５、および、リーダ装置３とサーバ５は、それぞれネットワークＮＷを介して通信可能であるが、プリンタ１とリーダ装置３はプリンタ１とリーダ装置３は直接通信可能でなくてもよい。プリンタ１およびリーダ装置３は、第２の実施形態と同様の構成でよい。本実施形態において、リーダ装置３においてリストバンド６０Ｂが切断されたか否か検出される。すなわち、リーダ装置３の制御部３１は、インレイＩＮＬの無線通信の品質が低下したか否かを判定する判定部として機能する。
【００６５】
システムの運用例では、プリンタ１およびリーダ装置３は共に、ナースカート等のカートＣＴに配置される。サーバ５は、例えば、病院内の管理室等に設けられ、各病室に設けられるアクセスポイントを介してプリンタ１およびリーダ装置３がそれぞれサーバ５に接続可能に構成される。
【００６６】
図１３においてプリンタ１およびリーダ装置３の構成は、第２の実施形態と同じでよく、詳細な説明を省略する。なお、本実施形態では、患者データベースは、プリンタ１のストレージ１２ではなくサーバ５のストレージ５２に格納される。
サーバ５の通信部５３は、プリンタ１の通信部１７およびリーダ装置３の通信部３３と通信を行うための通信インタフェースである。
制御部５１は、マイクロコンピュータおよびメモリ（ＲＡＭ，ＲＯＭ）を含み、サーバ５の動作を制御する。例えば、病院内のすべての患者に対応する患者データを患者データベースにおいて一元管理する。例えば、制御部５１は、図示しない病院内の情報処理装置から送信されるデータに基づいて患者の手術開始予定日時、手術開始予定日時を更新し、又は、患者の入院若しくは退院に応じて患者データベースのレコードの追加若しくは削除等を行う。また、後述するように、制御部５１は、病院内のリーダ装置３から受信する切断通知に基づいて患者データベースを更新するとともに、プリンタ１に切断通知を送信する。
【００６７】
次に、図１４を参照して、本実施形態の患者管理システム８の動作を説明する。図１４のシーケンスチャートにおいて、図１２と同一の処理については同一の符号を付して重複説明を省略する。
ステップＳ１０〜Ｓ１４の各処理は、図１２と同じである。本実施形態の患者管理システム８では、リーダ装置３がリストバンド６０Ｂの切断を検出した場合、患者データを含む切断通知をサーバ５に送信する（ステップＳ１５）。サーバ５は、切断通知をそのままプリンタ１に転送してもよいが、好ましくは、図１２のステップＳ１８と同様に、患者データが適切な患者に対応するデータであるか否か判定する（ステップＳ１６ａ）。患者データが適切な患者に対応するデータである場合には（ステップＳ１６ａ：ＹＥＳ）、ステップＳ１５の受信日時がリストバンド切断日時として記録されるように患者データベースを更新する（ステップＳ１６ｂ）。ステップＳ１６ａの判定結果の如何に関わらず、切断通知がプリンタ１に送信される（ステップＳ１７）。
ステップＳ１７において送信される切断通知には、患者データに加え、ステップＳ１６ａの判定結果も含まれる。切断通知を受信するとプリンタ１は、切断通知に含まれる判定結果が適切な患者であることを示す場合には（ステップＳ１８：ＹＥＳ）、切断通知に含まれる患者データに対応する２次元コードを含むラベルを発行する（ステップＳ２４）。切断通知に含まれる判定結果が適切な患者でないことを示す場合には（ステップＳ１８：ＮＯ）、プリンタ１は警告出力を行う（ステップＳ２０）。
【００６８】
以上、プリンタおよび患者管理システムの実施形態について説明したが、本発明は上記の実施形態に限定されない。また、上記の実施形態は、本発明の主旨を逸脱しない範囲において、種々の改良や変更が可能である。
【００６９】
例えば、上述した実施形態では、リストバンドから患者データを読み取る場合について説明したが、他のデータも読み取って患者データと関連付けてもよい。例えば、看護師を特定する看護師ＩＤに対応するバーコードが印字された看護師カードを各看護師が所持し、リストバンド６０ＡのバーコードＣ１をスキャンするときに看護師カードのバーコードもスキャンしてもよい。あるいは、リストバンド６０Ｂを切断するときに看護師カードのバーコードをスキャンしてもよい。その場合、読み取った看護師ＩＤを患者データに対応付けて患者データベースに書き込んでもよい。それによって、リストバンドを切断した看護師を記録することができる。
【００７０】
上述した実施形態では、リストバンドに組み込まれるインレイがパッシブ方式である場合について言及したが、その限りではなく、アクティブ方式（電池を内蔵し、自らの電力で電磁波を放射するタイプ）でもセミアクティブ方式でもよい。セミアクティブ方式は、電池を内蔵している点では合うアクティブ方式と同じであるが、特定のエリアでのみ自らの電力で電磁波を放射する点でアクティブ方式と異なる。
【００７１】
上述した各実施形態および変形例において説明した事項は、適宜組み合わせることができる。例えば、第１の実施形態の各変形例は、第２の実施形態および第３の実施形態に適用してもよい。
【００７２】
リーダ装置の設置位置は、図１０に例示したカートＣＴでなくてもよい。例えば、リーダ装置は、各病室の特定の場所（例えば天井等）に据え置くこともできる。
上述した実施形態では、２次元コードのみが印字されたラベルが発行される場合について説明したが、その限りではない。ラベルに患者を特定する文字（患者の氏名等）を印字してもよい。
上述した実施形態では、１枚のラベルを発行する場合について説明したが、その限りではなく複数枚同時に発行してもよい。その場合、患者の身体に貼着するラベル以外のラベルについては、目視確認用や医療文書貼付用等の他の目的に使用することもできる。
【符号の説明】
【００７３】
１…プリンタ
１１…制御部
１２…ストレージ
１３…操作入力部
１４…表示部
１５…モータ駆動部
１６…ヘッド駆動部
１７…通信部
１８…コードスキャナ
１０２…筐体
１０３…カバー
１４ａ…表示パネル
１０６…サーマルヘッド
１０７…発行口
１８…コードスキャナ
３…リーダ装置
３１…制御部
３２…ストレージ
３３…通信部
５…サーバ
５１…制御部
５２…ストレージ
５３…通信部
６０（６０Ａ，６０Ｂ）…リストバンド
６１…文字情報
６２…突起
６３…孔
７，８…患者管理システム
Ｒ…ロール紙
ＣＰ…連続紙
ＰＬ…ラベル
ＰＭ…台紙
ＩＮＬ…インレイ
Ｃ１…バーコード
Ｃ２…２次元コード
Ｇ１〜Ｇ３…画面
ｂ１，ｂ２，ｂ２１，ｂ２２…ボタン
ＣＴ…カート
【図１】
2020152060.tif 000003
【図２】
2020152060.tif 000004
【図３】
2020152060.tif 000005
【図４】
2020152060.tif 000006
【図５】
2020152060.tif 000007
【図６】
2020152060.tif 000008
【図７】
2020152060.tif 000009
【図８】
2020152060.tif 000010
【図９Ａ】
2020152060.tif 000011
【図９Ｂ】
2020152060.tif 000012
【図９Ｃ】
2020152060.tif 000013
【図１０】
2020152060.tif 000014
【図１１】
2020152060.tif 000015
【図１２】
2020152060.tif 000016
【図１３】
2020152060.tif 000017
【図１４】
2020152060.tif 000018